(57)【要約】【課題】移動体に備えられる表示装置の表示部の移動又は回転に応じて表示部の背後に隠れてしまう操作部や情報を、利用者が実質的に見ることを可能とする。【解決手段】車両に固定される本体部２０に移動又は回転可能に指示されるディスプイレイ１０の背面に対向する位置にある表示対象の背面側表示対象情報を取得し、取得された背面側表示対象情報に基づいて、表示対象に対応する画像をディスプレイ１０に表示させ、ディスプレイ１０の移動又は回転に対応させて、ディスプレイ１０に表示させる表示対象及び画像の表示位置の少なくとも何れか一方を変える。【選択図】図５
2018084880.tif 000002
【特許請求の範囲】
【請求項１】
移動体に固定される支持部に移動又は回転可能に支持される表示部の背面に対向する位置にある表示対象の情報である表示対象情報を取得する取得部と、
前記表示対象情報に基づいて、前記表示対象に対応する画像を前記表示部に表示させる制御部と、を備え、
前記制御部は、前記表示部の移動又は回転に対応させて、前記表示部に表示させる表示対象及び前記画像の表示位置の少なくとも何れか一方を変えることを特徴とする表示制御装置。
【請求項２】
前記取得部は、前記支持部に対する前記表示部の位置と、前記移動体に対応する移動体情報とに基づいて、前記表示対象情報を取得することを特徴とする請求項１に記載の表示制御装置。
【請求項３】
前記背面に対向する範囲を撮像する撮像部を更に備え、
前記取得部は、前記撮像部により撮像された画像に基づいて、前記表示対象情報を取得することを特徴とする請求項１に記載の表示制御装置。
【請求項４】
撮像範囲の少なくとも一部が互いに異なる複数の前記撮像部を備えることを特徴とする請求項３に記載の表示制御装置。
【請求項５】
前記表示部はタッチパネルを有し、
前記タッチパネルに対する操作を検出する検出部と、
前記表示部に表示された前記画像のうち、前記タッチパネルにおいて前記操作が検出された位置にある画像に対応する表示対象に応じた動作を実行させる実行制御部と、
を更に備えることを特徴とする請求項１乃至４の何れか１項に記載の表示制御装置。
【請求項６】
前記制御部は、前記背面に対向する位置にある表示対象に対応するアイコンを表示させることを特徴とする請求項１乃至５の何れか１項に記載の表示制御装置。
【請求項７】
前記制御部は、利用者により予め指定されたテーマに沿った前記画像を表示させることを特徴とする請求項１乃至６の何れか１項に記載の表示制御装置。
【請求項８】
取得部が、移動体に固定される支持部に移動又は回転可能に支持される表示部の背面に対向する位置にある表示対象の情報である表示対象情報を取得する取得工程と、
制御部が、前記表示対象情報に基づいて、前記表示対象に対応する画像を前記表示部に表示させる制御工程と、を含み、
前記制御工程において、前記制御部は、前記表示部の移動又は回転に対応させて、前記表示部に表示させる表示対象及び前記画像の表示位置の少なくとも何れか一方を変えることを特徴とする表示制御方法。
【請求項９】
コンピュータを、請求項１乃至７の何れか１項に記載の表示制御装置として機能させることを特徴とする表示制御装置用プログラム。
【発明の詳細な説明】
【技術分野】
【０００１】
本願は、移動体に備えられる表示装置による表示を制御する表示制御装置及び表示制御方法の技術分野に属する。
【背景技術】
【０００２】
従来、移動体に備えられる表示装置が知られている。このような表示装置の例として、車両のコンソール部等に装着されるナビゲーション装置やオーディオ装置等が挙げられる。典型的な表示装置のディスプレイ部分は、表示装置本体とともにコンソール部等にはめ込まれる。
【０００３】
これに対して、特許文献１には、使用時に車室内へ突出するディスプレイと、車両に対して固定される本体部とを備える車載装置が開示されている。この車載装置は、操作スイッチ、ステアリング、近接センサ又はディスプレイに備えられたタッチパネルからの信号に基づき、突出したディスプレイを本体部に対して縦向きから横向きに又は横向きから縦向きに回転させる。
【先行技術文献】
【特許文献】
【０００４】
【特許文献１】特開２０１３−１２１７６８号公報
【発明の概要】
【発明が解決しようとする課題】
【０００５】
表示装置の構造を、ディスプレイが常時突出しているような構造とすることで、ディスプレイを大型化することができる。しかしながら、操作ボタンや計器等が元々配置されているコンソール部等に表示装置が装着された場合、操作ボタンや機器等がディスプレイの背後に隠れてしまうことがあるので、利用者が操作ボタン等を操作したり機器に表示された情報を見ることができなかったりする。また、ディスプレイが移動又は回転した場合、別の操作ボタンや機器に表示された情報等がディスプレイの背後に隠れてしまうことがある。
【０００６】
本願は、以上の点に鑑みてなされたものであり、その課題の一例は、移動体に備えられる表示装置の表示部の移動又は回転に応じて表示部の背後に隠れてしまう操作部や情報を、利用者が実質的に見ることを可能とする表示制御装置、表示制御方法及び表示制御装置用プログラムを提供することにある。
【課題を解決するための手段】
【０００７】
上記課題を解決するため、請求項１に記載の発明は、移動体に固定される支持部に移動又は回転可能に支持される表示部の背面に対向する位置にある表示対象の情報である表示対象情報を取得する取得部と、前記表示対象情報に基づいて、前記表示対象に対応する画像を前記表示部に表示させる制御部と、を備え、前記制御部は、前記表示部の移動又は回転に対応させて、前記表示部に表示させる表示対象及び前記画像の表示位置の少なくとも何れか一方を変えることを特徴とする。
【０００８】
請求項８に記載の発明は、取得部が、移動体に固定される支持部に移動又は回転可能に支持される表示部の背面に対向する位置にある表示対象の情報である表示対象情報を取得する取得工程と、制御部が、前記表示対象情報に基づいて、前記背面に対向する位置にある表示対象に対応する画像を前記表示部に表示させる制御工程と、を含み、前記制御工程において、前記制御部は、前記表示部の移動又は回転に対応させて、前記表示部に表示させる表示対象及び前記画像の表示位置の少なくとも何れか一方を変えることを特徴とする。
【０００９】
請求項９に記載の発明は、コンピュータを、請求項１乃至７の何れか１項に記載の表示制御装置として機能させることを特徴とする。
【図面の簡単な説明】
【００１０】
【図１】実施形態に係る表示制御装置の概要構成を示すブロック図である。
【図２】（ａ）は、実施例に係る表示装置を左上前方から見た場合の表示装置の一例を示す斜視図である。（ｂ）は、実施例に係る表示装置のディスプレイを右下後方から見た場合のディスプレイの一例を示す斜視図である。
【図３】実施例に係る表示装置の設置の一例を示す模式図である。
【図４】実施例に係る表示装置の概要構成の一例を示すブロック図である。
【図５】実施例に係るディスプレイ１０におけるアイコンの表示例を示す図である。
【図６】実施例に係るディスプレイ１０が移動した場合のディスプレイ１０におけるアイコンの表示例を示す図である。
【図７】実施例に係るディスプレイ１０が回転した場合のディスプレイ１０におけるアイコンの表示例を示す図である。
【図８】実施例に係る処理の一例を示すフローチャートである。
【図９】変形例に係る表示装置のディスプレイを右下後方から見た場合のディスプレイの一例を示す斜視図である。
【発明を実施するための形態】
【００１１】
次に、本願を実施するための形態について、図１を用いて説明する。図１は、実施形態に係る表示制御装置の概要構成を示すブロック図である。
【００１２】
図１に示すように、実施形態に係る表示制御装置１は、取得部１ａと、表示部２に接続された制御部１ｂとを備える。表示制御装置１は移動体に備えられる。移動体の例として、車両、自動二輪車、航空機、船舶等が挙げられる。
【００１３】
取得部１ａは、移動体に固定される支持部３に移動又は回転可能に支持される表示部２の背面に対向する位置にある表示対象の情報である表示対象情報を取得する。表示対象の例として、移動体に備えられる操作部、及び移動体に備えられる機器により表示される情報等が挙げられる。操作部は、例えば移動体に備えられる機器の動作を制御するために利用者が直接触れて操作することができる有形物であってもよい。操作部の例として、ボタン、スイッチ、キー、ダイヤル、つまみ、レバー等が挙げられる。移動体に備えられる機器により表示される情報は、例えばその機器の動作状況、移動体の状況、移動体の内部又は外部の状況、利用者の操作等に応じて変化する情報であってもよい。
【００１４】
制御部１ｂは、取得部１ａにより取得された表示対象情報に基づいて、表示対象に対応する画像を表示部２に表示させる。表示対象に対応する画像は、例えばその表示対象の種類を利用者が特定可能に示す画像であってもよい。制御部１ｂは、表示部２の移動又は回転に対応させて、表示部２に表示させる表示対象及びその画像の表示位置の少なくとも何れか一方を変える。
【００１５】
以上説明したように、実施形態に係る表示制御装置１の動作によれば、表示部２が移動又は回転した場合に、表示部２の背面に対向する位置にある表示対象に対応する画像が表示されるように、表示部２に表示させる表示対象及びその画像の表示位置の少なくとも何れか一方が変わる。従って、移動体に備えられる表示装置の表示部２の移動又は回転に応じて表示部２の背後に隠れてしまう操作部や情報を、利用者が実質的に見ることができる。
【実施例】
【００１６】
次に、上述した実施形態に対応する具体的な実施例について、図２乃至図８を用いて説明する。以下に説明する実施例は、車両に備えられる表示装置に実施形態を適用した場合の実施例である。表示装置の例として、ナビゲーション装置、オーディオ装置、携帯可能で車両に取り付けることが可能な端末装置等が挙げられる。
【００１７】
図２（ａ）は、実施例に係る表示装置を左上前方から見た場合の表示装置の一例を示す斜視図である。図２（ｂ）は、実施例に係る表示装置のディスプレイを右下後方から見た場合のディスプレイの一例を示す斜視図である。図３は、実施例に係る表示装置の設置の一例を示す模式図である。図４は、実施例に係る表示装置の概要構成の一例を示すブロック図である。図５は、実施例に係るディスプレイ１０におけるアイコンの表示例を示す図である。図６は、実施例に係るディスプレイ１０が移動した場合のディスプレイ１０におけるアイコンの表示例を示す図である。図７は、実施例に係るディスプレイ１０が回転した場合のディスプレイ１０におけるアイコンの表示例を示す図である。図８は、実施例に係る処理の一例を示すフローチャートである。
【００１８】
図２に示すように、実施例に係る表示装置Ｓは、ディスプレイ１０と、ディスプレイ１０を支持する本体部２０とを備えて構成される。ディスプレイ１０は、実施形態に係る表示部２の一例である。本体部２０は、実施形態に係る支持部３の一例である。本体部２０側から見てディスプレイ１０が存在する方向が、表示装置Ｓの前方である。ディスプレイ１０の高さ及び幅の少なくとも何れか一方は、本体部２０の高さ及び幅の少なくとも何れか一方よりも長くてもよい。
【００１９】
ディスプレイ１０は、タッチパネル１１を備える。図２が示す例では、ディスプレイ１０は横向きの状態であるが、ディスプレイ１０の回転によって縦向きの状態となることも可能である。横向きの状態であるか又は縦向きの状態であるかに応じて、視認しやすいようにディスプレイ１０の画面に情報が表示される。
【００２０】
タッチパネル１１は、ディスプレイ１０の前面に存在する画面に備えられる。タッチパネル１１は、表示機能と位置入力機能を有する。表示機能の部分は、例えば、液晶表示素子又はＥＬ（Electro Luminescence）素子等により構成される。位置入力機能は、例えば、静電容量方式、抵抗膜方式等を実現する素子により構成される。タッチパネル１１は、画面に対する接触又は近接を検出する。例えば静電容量方式であれば、接触及び近接の両方の検出が可能である。例えば抵抗膜方式であれば、接触の検出が可能である。
【００２１】
本体部２０は、アーム２１と、上下スライドステージ２２と、水平スライドステージ２３と、前後スライドステージ２４と、ガイド２５ａ及び２５ｂと、光ディスクドライブ２６と、筐体２７とを備える。筐体２７に、アーム２１〜光ディスクドライブ２６が収納される。
【００２２】
アーム２１は例えば円筒形状等をなしている。筐体２７の前面に設けられた開口部２７ａを通して、アーム２１の一部が表示装置Ｓの前方に向かって露出している。アーム２１の露出した部分の端は、ディスプレイ１０の背面の中央付近で略垂直に固定されている。
【００２３】
上下スライドステージ２２は、アーム２１の中心軸を回転軸としてアーム２１が回転可能なように、アーム２１を支持する。上下スライドステージ２２に、図４に示す回転モータ３５及び上下スライドモータ３６が内蔵されている。回転モータ３５はアーム２１を回転させるモータである。これにより、ディスプレイ１０が画面に平行に時計回り及び反時計回りに回転する。上下スライドモータ３６は、水平スライドステージ２３に対して上下方向に上下スライドステージ２２を移動させるためのモータである。これにより、アーム２１及びディスプレイ１０が上下方向に移動する。
【００２４】
水平スライドステージ２３は、上下スライドステージ２２が上下方向に移動可能なように、上下スライドステージ２２を支持する。水平スライドステージ２３には、図４に示す水平スライドモータ３７が内蔵されている。水平スライドモータ３７は、前後スライドステージ２４に対して左右方向に水平スライドステージ２３を移動させるためのモータである。これにより、上下スライドステージ２２、アーム２１及びディスプレイ１０が左右方向に移動する。
【００２５】
前後スライドステージ２４は、水平スライドステージ２３が左右方向に移動可能なように、水平スライドステージ２３を支持する。前後スライドステージ２４には複数のガイド溝が設けられている。これらガイド溝に沿って水平スライドステージ２３が移動する。前後スライドステージ２４には、図４に示す前後スライドモータ３８が内蔵されている。前後スライドモータ３８は、ガイド２５ａ及び２５ｂに対して前後方向に前後スライドステージ２４を移動させるためのモータである。これにより、水平スライドステージ２３、上下スライドステージ２２、アーム２１及びディスプレイ１０が前後方向に移動する。
【００２６】
ガイド２５ａ及び２５ｂは、前後スライドステージ２４が前後方向に移動可能なように、前後スライドステージ２４の左右両側から前後スライドステージ２４を支持する。ガイド２５ａ及び２５ｂのそれぞれには、複数のガイドが設けられている。これらガイド溝に沿って前後スライドステージ２４が移動する。
【００２７】
光ディスクドライブ２６は、例えばＢｌｕ-ｒａｙ（登録商標）ディスク、ＤＶＤ（Digital Versatile Disc）、ＣＤ（Compact Disc）等の光ディスクに記録された情報を読み出す。筐体２７の前面に設けられた挿入口２７ｂから、光ディスクを光ディスクドライブ２６に挿入可能である。
【００２８】
図３に示すように、表示装置Ｓは、例えば車両のコンソール部の中央領域４０に装着される。コンソール部の中央領域４０には、ナビゲーション装置、オーディオ装置等を装着するための開口部４１が設けられている。開口部４１から表示装置Ｓの本体部２０がコンソール部に挿入されて、本体部２０が固定される。
【００２９】
またコンソール部の中央領域４０には、例えばハザードスイッチ４２、時計４３、温度計４４、エアコンスイッチ４５、風速調整ダイヤル４６、温度調整ダイヤル４７、送風口選択ダイヤル４８、外気・内気切替スイッチ４９等が備えられている。ハザードスイッチ４２は、車両に搭載されたハザードランプを点滅及び消灯させるためのスイッチである。時計４３は、ディスプレイを有し、現地時刻をディスプレイに表示する。温度計４４は、ディスプレイを有し、車内の温度をディスプレイに表示する。エアコンスイッチ４５〜外気・内気切替スイッチ４９は、車両に搭載されたエアコンの動作を制御するための操作部である。ハザードスイッチ４２、時計４３により表示される時刻、温度計４４により表示される温度、エアコンスイッチ４５、風速調整ダイヤル４６、温度調整ダイヤル４７、送風口選択ダイヤル４８、及び外気・内気切替スイッチ４９は、実施形態に係る表示対象の例である。コンソール部の中央領域４０に備えられる操作部の種類及び中央領域４０に備えられる機器により表示される情報の種類は、車種や車両の年式によって変わる。また、コンソール部の中央領域４０における開口部４１、操作部及び機器の配列も、車種や車両の年式によって変わる。
【００３０】
車両における表示対象としての操作部の例としては、上述したハザードスイッチ、エアコンに備えられる操作部のほかに、ラジオ等のオーディオ機器に備えられる操作部、窓を開閉させるための操作部等が挙げられる。車両における表示対象としての情報の例としては、上述した時刻、温度のほかに、走行距離、ガソリン残量、バッテリー残量、ラジオ等のオーディオ機器により表示される情報等が挙げられる。
【００３１】
図３において、ディスプレイ１０の高さ及び幅は、本体部２０及び開口部４１の高さ及び幅よりも長い。本体部２０に対するディスプレイ１０の位置、及びディスプレイ１０が縦向きの状態にあるか横向きの状態にあるかによって、中央領域４０上のハザードスイッチ４２〜外気・内気切替スイッチ４９の少なくとも何れか１つがディスプレイ１０の背後に隠れる場合がある。また、光ディスクの挿入口２７ｂがディスプレイ１０の背後に隠れる。ディスプレイ１０が移動又は回転することによって、ディスプレイ１０の背後に隠れていた部分が見えるようになる。これにより、操作部や挿入口２７ｂに対する操作が可能となったり、時刻や温度等の情報を視認可能となったりする。
【００３２】
図４に示すように、表示装置Ｓは、システム制御部３１と、記憶部３２と、操作入力部３３と、駆動部３４と、回転モータ３５と、上下スライドモータ３６と、水平スライドモータ３７と、前後スライドモータ３８と、メモリカードスロット６０と、通信部６１と、タッチパネル１１と、を少なくとも含んで構成される。図４において、アーム２１〜ガイド２５ｂの図示は省略されている。システム制御部３１は、インターフェース３９を介して、記憶部３２〜駆動部３４、、及びメモリカードスロット６０、通信部６１、光ディスクドライブ２６、及びタッチパネル１１と接続される。システム制御部３１、記憶部３２、操作入力部３３、駆動部３４、メモリカードスロット６０、及び通信部６１は、本体部２０に備えられてもよいし、ディスプレイ１０に備えられてもよい。
【００３３】
記憶部３２は、例えばハードディスク、フラッシュメモリ等の不揮発性メモリにより構成されている。記憶部３２には、表示装置Ｓを制御するための各種プログラムが記憶されている。各種プログラムは、例えば光ディスクドライブ２６等のドライブ装置を介して光ディスク等の記録媒体から読み込まれてもよいし、無線通信網等のネットワークを介して所定のサーバ装置からダウンロードされてもよい。また記憶部３２には、例えば音楽データや地図データ等が記憶される。
【００３４】
操作入力部３３は、例えば操作ボタン、スイッチ等を有する。操作部３３は、利用者からの入力を受け付ける。
【００３５】
駆動部３４は、システム制御部３１から送信される制御信号に基づいて、回転モータ３５〜水平スライドモータ３７を駆動する。駆動部３４、回転モータ３５〜水平スライドモータ３７、及びアーム２１〜水平スライドステージ２３は、実施形態に係る移動部４の一例である。
【００３６】
メモリカードスロット６０には、例えばＳＤ（Secure Digital）メモリカード、ＵＳＢ（Universal Serial Bus）メモリ等のメモリカードを挿入可能である。メモリカードスロット６０は、メモリカードに対する情報の書き込み及び読み出しを行う。
【００３７】
通信部６１は、移動体に備えられる機器のうち１又は複数の機器とシステム制御部３１との間の通信を制御する。例えば、ＣＡＮ（Controller Area Network）、ＬＩＮ（Local Interconnect Network）等のプロトコルを用いて通信が行われる。通信部６１と所定の機器とは有線又は無線で接続される。システム制御部３１との通信が可能な機器は、例えばコンソール部の中央領域４０に備えられた操作部により動作が制御される機器、及び中央領域４０に備えられた機器を少なくとも含んでもよい。通信部６１を介して、システム制御部３１は、機器からその機器に関する情報を受信したり、機器の動作を制御するための制御信号を送信したりすることができる。
【００３８】
システム制御部３１は、ＣＰＵ（Central Processing Unit）、ＲＯＭ（Read Only Memory）、ＲＡＭ（Random Access Memory）等を備える。ＣＰＵが、ＲＯＭや記憶部３２に記憶された各種プログラムを読み出して実行することにより、システム制御部３１が表示装置Ｓを制御する。システム制御部３１は、実施形態に係る取得部１ａ及び制御部１ｂの一例である。
【００３９】
システム制御部３１は、表示装置Ｓが備えられる車両における表示対象のうち、ディスプイレイ１０の背面に対向する位置にある表示対象の背面側表示対象情報を取得する。背面側表示対象情報は、例えば表示対象の種類、及び表示部２に対するその表示対象の位置の少なくとも何れか一方を示す情報であってもよい。
【００４０】
例えば、システム制御部３１は、本体部２０に対するディスプレイの位置と、表示装置Ｓが備えられる車両に対応する車両情報とに基づいて、背面側表示対象情報を取得してもよい。
【００４１】
車両情報は、例えば車両の種類及び年式を示す情報であってもよい。例えば、利用者又は表示装置Ｓを車両に取り付ける業者等が、タッチパネル１１又は操作入力部３３を利用して、その車両に対応する車両情報を表示装置Ｓに入力してもよい。車両情報は、移動体情報の一例である。
【００４２】
システム制御部３１は、車両情報に基づいて、レイアウト情報を取得する。レイアウト情報は、車両における各表示対象の種類及び位置を示す情報である。表示対象の位置は、例えば、表示装置Ｓを車両に取り付けた状態で、且つディスプレイ１０が本体部２０に対して初期位置にある状態で、ディスプレイ１０の中心を原点とした座標で表されてもよい。初期位置は、予め定められた位置である。例えば、様々な種類及び年式の組み合わせに対応したレイアウト情報が、車両情報と関連付けて予め記憶部３２に記憶されてもよい。システム制御部３１は、入力された車両情報を記憶部３２に記憶させる。そして、システム制御部３１は、記憶部３２に記憶されたレイアウト情報のうち、記憶部３２に記憶された車両情報に関連付けられたレイアウト情報を取得する。或いは、所定のサーバ装置に、様々な種類及び年式の組み合わせに対応したレイアウト情報が記憶されていてもよい。システム制御部３１は、入力された車両情報を、無線通信網等のネットワークを介してサーバ装置に送信することにより、サーバ装置からレイアウト情報を取得して記憶部３２に記憶させてもよい。図３に示す例の場合、システム制御部３１は、ハザードスイッチ４２、時計４３により表示される時刻、温度計４４により表示される温度、エアコンスイッチ４５、風速調整ダイヤル４６、温度調整ダイヤル４７、送風口選択ダイヤル４８、及び外気・内気切替スイッチ４９の位置を示すレイアウト情報を取得する。
【００４３】
システム制御部３１は、本体部２０に対するディスプレイの位置と、取得されたレイアウト情報とに基づいて、背面側表示対象情報を取得する。例えば、システム制御部３１は、本体部２０に対するディスプイレイ１０の現在の位置に対応して、ディスプイレイ１０の中心を原点として、車両における各表示対象の位置を計算する。システム制御部３１は、計算した位置に基づいて、ディスプイレイ１０の背面に対向する位置にある表示対象を特定する。システム制御部３１は、特定した表示対象の種類及び位置を示す情報を背面側表示対象情報として取得する。
【００４４】
システム制御部３１は、本体部２０に対するディスプレイの位置と、ディスプレイ１０の長手方向の、本体部２０の左右方向に対する傾き角度と、レイアウト情報とに基づいて、背面側表示対象情報を取得してもよい。図３に示すように、ディスプイレイ１０の高さと幅とが異なる場合がある。従って、ディスプレイ１０が縦向きの状態であるか又は横向きの状態であるか等によって、ディスプイレイ１０の背面に対向する位置にある表示対象が変わる。
【００４５】
システム制御部３１は、取得された背面側表示対象情報に基づいて、ディスプイレイ１０の背面に対向する位置にある表示対象に対応する画像をディスプレイ１０に表示させる。例えば、システム制御部３１は、背面側表示対象情報が示す表示対象の種類に応じて、表示対象に対応するアイコンを表示させてもよいし、表示対象そのものを表す画像を表示させてもよい。例えば記憶部に、表示対象ごとに、表示対象に対応する画像のデータが記憶されてもよい。
【００４６】
システム制御部３１は、背面側表示対象情報が示す表示対象の位置に基づいて、ディスプレイ１０に対する表示対象の位置に対応した表示位置で、その表示対象に対応する画像を表示させてもよい。例えば、前方からディスプレイ１０を見た場合に、ディスプレイ１０に対する表示対象の位置と、表示対象に対応する画像の表示位置とが略同一になってもよいし、これらの位置が極力近くなるようにシステム制御部３１は表示位置を決定してもよい。また、複数の表示対象それぞれに対応する画像を表示させる場合、システム制御部３１は、車両におけるこれらの表示対象同士の位置関係と、画面内において対応する画像同士の位置関係が一致又は類似するように、各画像の表示位置を決定してもよい。
【００４７】
表示対象が情報である場合、情報の実際の内容を特定する必要がある。例えば、システム制御部３１は、対象となる情報を表示させる機器から通信部６１を介して、対象となる情報を取得してもよい。或いは、表示装置Ｓが、対象となる情報を検知又は計測する手段を備えてもよい。また、表示対象が操作部であって、利用者による操作に応じて操作部の状態が変化する場合がある。操作部の状態の例として、操作部に備えられたランプの点灯状態、スイッチの位置、ダイヤルのつまみの方向等が挙げられる。この場合、システム制御部３１は、例えば通信部６１を介してその操作部の状態を示す情報を取得してもよい。
【００４８】
例えば、図３に示すように、ハザードスイッチ４２、時計４３、エアコンスイッチ４４、及び温度計４５がディスプレイ１０によって完全に隠れている。また、風速調整ダイヤル４６、温度調整ダイヤル４７、及び送風口選択ダイヤル４８のそれぞれの一部がディスプレイ１０によって完全に隠れている。この場合、図５に示すように、ディスプレイ１０には、ハザードスイッチアイコン５２、時計アイコン５３、エアコンスイッチアイコン５４、温度計アイコン５５、風速調整アイコン５６、温度調整アイコン５７、及び風口選択アイコン５８が表示される。ハザードスイッチアイコン５２〜風口選択アイコン５８は、ハザードスイッチ４２〜送風口選択ダイヤル４８のそれぞれに対応する。システム制御部３１は、一部のみが隠れている風速調整ダイヤル４６〜送風口選択ダイヤル４８に対応する風速調整アイコン５６〜送風口選択５８は表示しても表示しなくてもよい。時計アイコン５３には現在時刻が表示され、温度系アイコン５５には車内の温度が表示されている。例えば、システム制御部３１は、時計４３から現在時刻の情報を取得し、温度系４５から温度の情報を取得してもよい。或いは、表示装置Ｓが、計時機能及び温度計測機能を有してもよい。風速調整アイコン５６〜風口選択アイコン５８には、風速調整ダイヤル４６〜送風口選択ダイヤル４８の現在の状態がそれぞれ表示されている。
【００４９】
システム制御部３１は、ディスプレイ１０の移動又は回転に対応させて、ディスプレイ１０に表示させる表示対象及びその画像の表示位置の少なくとも何れか一方を変える。
【００５０】
システム制御部３１による駆動部３４等に対する制御に基づいてディスプレイ１０が移動又は回転する。例えば、タッチパネル１１に対する操作、操作入力部３３に対する操作等の利用者による動作に基づいて、ディスプレイ１０が移動又は回転してもよい。或いは、車両の走行状態、車両が走行している道路の種類等の変化に応じて、ディスプレイ１０が移動又は回転してもよい。ディスプイレイ１０は、上下方向、左右方向、前後方向の何れに移動してもよい。また、ディスプレイ１０は、斜め方向に移動してもよい。また、ディスプレイ１０は、時計回り及び反時計回りに回転してもよい。
【００５１】
システム制御部３１は、ディスプレイ１０が移動又は回転したとき、そのときのディスプレイ１０の位置に対応した背面側表示対象情報を取得し、背面側表示対象情報に基づいて、ディスプイレイ１０の背面に対向する位置にある表示対象に対応する画像をディスプレイ１０に表示させる。これにより、ディスプレイ１０に表示させる表示対象及びその画像の表示位置の少なくとも何れか一方が変わる。なお、ディスプレイ１０が前後方向に移動した場合に、システム制御部３１は、ディスプレイ１０の表示を変えてもよい。
【００５２】
例えば、図５に示すディスプレイ１０の位置から図６に示す位置に、ディスプイレイ１０が下方向に移動したとする。この場合、図６に示すように、エアコンスイッチ４４〜送風口選択ダイヤル４８がディスプレイ１０によって完全に隠れる。一方、ハザードスイッチ４２及び時計４３は、利用者から見える状態となる。この場合、ディスプレイ１０には、エアコンスイッチアイコン５４〜外気・内気切替アイコン５９が表示される。外気・内気切替アイコン５９は、外気・内気切替ダイヤル４９に対応する。エアコンスイッチアイコン５４〜送風口選択アイコン５８の表示位置が、図６に示す表示位置から上方向に移動している。従って、対応するアイコンが表示される表示対象が一部変わり、ディスプイレイ１０において、エアコンスイッチアイコン５４〜送風口選択アイコン５８の表示位置が変わる。
【００５３】
例えば、図６に示すディスプレイ１０の状態から図７に示すように縦向きに、ディスプイレイ１０が時計回りに９０度回転したとする。この場合、図７に示すように、ハザードスイッチ４２〜外気・内気切替ダイヤル４９がディスプレイ１０によって完全に隠れる。この場合、ディスプレイ１０には、ハザードスイッチアイコン５２〜外気・内気切替アイコン５９が表示される。利用者から見て、エアコンスイッチアイコン５２〜外気・内気切替アイコン５９の位置関係が図７に示す位置関係から変わらないように、ディスプイレイ１０におけるこれらのアイコンの表示位置が変わる。
【００５４】
システム制御部３１は、ディスプイレイ１０の背面に対向する位置にある表示対象に対応する画像がディスプレイ１０に表示されているとき、タッチパネル１１に対する操作を検出する。システム制御部３１は、ディスプイレイ１０に表示された画像のうち、タッチパネル１１において操作が検出された位置にある画像に対応する表示対象に応じた動作を実行させる。
【００５５】
システム制御部３１は、画像に対応する表示対象が操作部である場合にのみ、その表示対象に応じた動作を実行させてもよい。タッチパネル１１に対する操作とは、タッチパネル１１に対する接触又は近接を伴う操作である。システム制御部３１は、接触又は近接が検出された位置の座標又は座標群を含む位置情報をタッチパネル１１から受信する。例えば、表示対象に対応する画像が表示されている位置で接触又は近接が検出された場合、システム制御部３１は、その操作部に応じた動作を、その操作部に対する操作により動作が制御される機器に実行させてもよい。また例えば、表示対象に対応する画像が表示されている位置で接触又は近接が検出された場合、システム制御部３１は、機器の動作状態を選択するための複数の選択肢をディスプレイ１０に表示させ、何れかの選択肢の位置で接触又は近接が検出された場合、その選択肢に対応する動作を実行させてもよい。
【００５６】
操作部そのものの画像をディスプレイ１０に表示させた場合、システム制御部３１は、その操作部の操作方法と同一又は類似の方法でその画像を操作可能にさせてもよい。例えば、風速調整ダイヤル４６等のダイヤルの画像を表示させた場合においては、ダイヤルの画像のつまみ部分を２本の指でつまむように利用者が指をタッチパネル１１に接触させ、その指をタッチパネル１１に接触させたまま指を回転させる操作を行ったとき、システム制御部３１は、その操作に応じて動作を実行させてもよい。或いは、利用者がダイヤルの画像の位置でタッチパネル１１に指を接触させたまま、ダイヤルの画像を中心としてその指を円弧状に移動させる操作を行ったとき、その操作に応じて動作を実行させてもよい。
【００５７】
システム制御部３１は、表示装置Ｓが起動した直後から、ディスプイレイ１０の背面に対向する位置にある表示対象に対応する画像を、基本的に常時ディスプレイ１０に表示させてもよい。この場合、システム制御部３１は、利用者による所定の動作が検出された場合に、ディスプレイ１０の画面を、ディスプイレイ１０の背面に対向する位置にある表示対象に対応する画像を表示する画面から、別の画面に切り替えてもよい。利用者による動作の例として、タッチパネル１１又は操作入力部３３に対する操作、発声、ジェスチャ等が挙げられる。発声は、図示せぬマイクロフォンを介して表示装置Ｓに入力される。ジェスチャは、例えば図示せぬカメラにより撮影された画像に基づいて検出される。また例えば、システム制御部３１は、車両の走行状態や車両が走行する道路の種類が変化することに基づいて、画面を切り替えてもよい。
【００５８】
或いは、システム制御部３１は、表示装置Ｓが起動した直後では、ディスプイレイ１０の背面に対向する位置にある表示対象に対応する画像を表示する画面とは別の画面を表示してもよい。この場合、システム制御部３１は、利用者による所定の動作が検出された場合にのみ、ディスプレイ１０の画面を、ディスプイレイ１０の背面に対向する位置にある表示対象に対応する画像を表示する画面に切り替えてもよい。
【００５９】
システム制御部３１は、ディスプイレイ１０の背面に対向する位置にある表示対象に対応する画像として、利用者により予め指定されたテーマに沿った画像をディスプレイ１０に表示させてもよい。テーマに沿った画像とは、例えば対応する表示対象を利用者が特定可能であるとともに、そのテーマを利用者に想起させることが可能な画像である。例えば野球がテーマである場合、テーマに沿った画像は、ボール、バット、グローブ等の形状をした画像であってもよい。また例えばメタリックがテーマである場合、テーマに沿った画像は、金属的な光沢を表す画像であってもよい。
【００６０】
例えば、様々なテーマについて、テーマに沿った画像データのセットがそのテーマの識別情報に対応付けて記憶部３２に予め記憶されてもよい。システム制御部３１は、例えばタッチパネル１１に対する操作に基づいて、利用者によるテーマの指定を受け付ける。システム制御部３１は、指定されたテーマの識別情報を記憶部３２に記憶させる。そして、システム制御部３１は、記憶部３２に記憶された画像データのセットのうち、記憶部３２に記憶された識別情報に対応するセットから、ディスプレイ１０に表示させる画像に対応する画像データを取得する。或いは、所定のサーバ装置に、様々なテーマについての画像のセットが記憶されていてもよい。システム制御部３１は、指定されたテーマの識別情報を、無線通信網等のネットワークを介してサーバ装置に送信することにより、サーバ装置から画像データのセットを取得して記憶部３２に記憶させてもよい。
【００６１】
次に、システム制御部３１により実行される処理例について、図８を用いて説明する。図８に示す処理は、例えば表示装置Ｓの電源がＯＮとされたとき、又は利用者により、ディスプレイ１０の画面を、表示対象に対応する画像を表示するための画面に切り替えるための操作が行われたときに開始される。図８に示すように、システム制御部３１は、ディスプレイ１０の背面に対向する位置にある表示対象の背面側表示対象情報を取得する（ステップＳ１）。例えば、システム制御部３１は、記憶部３２に記憶された車両情報に対応するレイアウト情報を、記憶部３２から取得する。また、システム制御部３１は、本体部４０に対する現在のディスプレイ１０の位置と、ディスプレイ１０の背面の長手方向の傾き角度と、レイアウト情報とに基づいて、ディスプレイ１０に対する各表示対象の位置を計算する。システム制御部３１は、計算された位置に基づいて、ディスプレイ１０の背面に対向する位置にある表示対象を特定する。システム制御部３１は、特定された表示対象の種類及び位置を、背面側表示対象情報として取得する。
【００６２】
次いで、システム制御部３１は、背面側表示対象情報に基づいて、ディスプレイ１０の背面に対向する位置にある表示対象に対応する画像をディスプレイ１０に表示させる（ステップＳ２）。例えば、システム制御部３１は、ディスプレイ１０の背面に対向する位置にある表示対象ごとに、表示対象の種類に対応する画像の画像データを記憶部３２から取得する。また、システム制御部３１は、ディスプレイ１０の背面に対向する位置にある表示対象のディスプレイ１０に対する位置に応じて、画像の画面内の表示位置を決定する。そして、システム制御部３１は、取得した画像データに基づいて、決定された表示位置に画像を表示させる。
【００６３】
次いで、システム制御部３１は、タッチパネル１１に対する操作が検出されたか否かを判定する（ステップＳ３）。このとき、システム制御部３１は、タッチパネル１１に対する操作が検出されたと判定した場合には（ステップＳ３：ＹＥＳ）、処理をステップＳ４に進める。一方、システム制御部３１は、タッチパネル１１に対する操作が検出されなかったと判定した場合には（ステップＳ３：ＮＯ）、処理をステップＳ７に進める。
【００６４】
ステップＳ４において、システム制御部３１は、画面において、操作が検出された位置にある画像を特定する。次いで、システム制御部３１は、特定された画像に対応する表示対象が操作部であるか否かを判定する（ステップＳ５）。このとき、システム制御部３１は、特定された画像に対応する表示対象が操作部であると判定した場合には（ステップＳ５：ＹＥＳ）、処理をステップＳ６へ進める。一方、システム制御部３１は、特定された画像に対応する表示対象が操作部ではないと判定した場合には（ステップＳ５：ＮＯ）、処理をステップＳ７へ進める。
【００６５】
ステップＳ６において、システム制御部３１は、特定された画像に対応する操作部に応じた動作を実行させる。例えば、システム制御部３１は、画像に対応する操作部の種類に対応した動作を実行させるための制御信号を、その操作部が対応する機器へ送信する。
【００６６】
次いで、システム制御部３１は、ディスプレイ１０が移動又は回転したか否かを判定する（ステップＳ７）。このとき、システム制御部３１は、ディスプレイ１０が移動又は回転したと判定した場合には（ステップＳ７：ＹＥＳ）、処理をステップＳ１に進める。ステップＳ１及び２において、システム制御部３１は、ディスプレイ１０の移動又は回転に対応させて、対応する画像が表示される表示対象及びその画像の表示位置の少なくとも何れか一方を変える。一方、システム制御部３１は、ディスプレイ１０が移動及び回転の何れもしていないと判定した場合には（ステップＳ７：ＮＯ）、処理をステップＳ８に進める。
【００６７】
ステップＳ８において、システム制御部３１は、表示装置Ｓの電源がＯＦＦにされ、又は利用者がディスプレイ１０の画面を切り替える操作を行ったか否かを判定する。このとき、システム制御部３１は、表示装置Ｓの電源がＯＦＦにされず、且つ利用者がディスプレイ１０の画面を切り替える操作を行っていないと判定した場合には（ステップＳ８：ＮＯ）、処理をステップＳ３に進める。一方、システム制御部３１は、表示装置Ｓの電源がＯＦＦにされ、又は利用者がディスプレイ１０の画面を切り替える操作を行ったと判定した場合には（ステップＳ８：ＹＥＳ）、図８に示す処理を終了させる。
【００６８】
以上説明したように、実施例に係る表示装置Ｓの動作によれば、背面側表示対象情報に基づいて、ディスプイレイ１０の背面に対向する位置にある表示対象に対応する画像をディスプレイ１０に表示させ、ディスプレイ１０の移動又は回転に対応させて、ディスプレイ１０に表示させる表示対象及び画像の表示位置の少なくとも何れか一方を変える。従って、ディスプレイ１０の移動又は回転に応じてディスプレイ１０の背後に隠れてしまう表示対象を、利用者が実質的に見ることができる。
【００６９】
また、本体部２０に対するディスプレイの位置と、表示装置Ｓが備えられる車両に対応する車両情報とに基づいて背面側表示対象情報を取得する場合、車両の種類や年式等によって、車両に備えられ又は表示される表示対象が変わったり、車両における表示対象の位置が変わったりしても、ディスプイレイ１０の背面に対向する位置にある表示対象を適切に特定することができる。
【００７０】
また、タッチパネル１１に対する操作を検出し、ディスプイレイ１０に表示された画像のうち、タッチパネル１１において操作が検出された位置にある画像に対応する表示対象に応じた動作を実行させた場合、操作部がディスプレイ１０の背後に隠れてしまってその操作部を操作することができない場合であっても、タッチパネル１１に対する操作に基づいてその操作部に対する動作を実行させることができる。
【００７１】
また、ディスプレイ１０の背面に対向する位置にある表示対象に対応する画像として、利用者により予め指定されたテーマに沿った画像をディスプレイ１０に表示させた場合、利用者の嗜好に合った画像を表示させることができる。
【００７２】
［変形例］
次に、実施形態に係る複数の変形例について説明する。
【００７３】
［カメラを用いる変形例］
図９は、変形例に係る表示装置のディスプレイを右下後方から見た場合のディスプレイの一例を示す斜視図である。表示装置Ｓは、ディスプレイ１０の背面に対向する範囲を撮像するカメラを備えてもよい。例えば、ディスプレイ１０の背面、上面、下面又は側面等にカメラが備えられてもよい。
【００７４】
システム制御部３１は、カメラにより撮像された画像に基づいて、ディスプレイ１０の背面に対向する位置にある表示対象の情報を取得してもよい。システム制御部３１は、撮像された画像に写っている操作部の種類及びその画像に写っている情報の種類の少なくとも何れか一方を特定する。
【００７５】
システム制御部３１は、公知の画像認識アルゴリズムを用いて、表示対象の種類を特定してもよい。例えば、操作部の種類ごとに、操作部の形状の特徴量や、操作部上又は操作部の周囲に付される文字、記号、マーク、図形、絵柄等の特徴量が記憶部３２に予め記憶される。システム制御部３１は、撮像された画像から表示対象の特徴量を抽出し、抽出した特徴量と記憶部３２に記憶されている特徴量との類似度を計算する。システム制御部３１は、類似度に基づいて、撮像された画像に写っている操作部の種類を判定する。また例えば、情報の種類ごとに、情報中の文字、記号、マーク、図形、絵柄等の形式やレイアウトを示す表示形式情報が予め記憶される。システム制御部３１は、撮像された画像における表示対象の特徴量に基づいて、その表示対象が、如何なる文字、記号、マーク、図形、絵柄等を如何なる形式又はレイアウトで含んでいるかを特定し、特定結果に対応する表示形式情報を生成する。システム制御部３１は、生成された表示形式情報と記憶部３２に記憶された表示形式情報との類似度を計算し、類似度に基づいて、撮像された画像に写っている情報の種類を判定する。また、システム制御部３１は、撮像された画像から、表示対象として特定された操作部の状態、及び表示対象として特定された情報の内容を特定する。
【００７６】
システム制御部３１は、撮像された画像に写っている表示対象ごとに、画像内における表示対象の画像部分の位置に基づいて、ディスプレイ１０に対する表示対象の位置を計算する。システム制御部３１は、計算した位置に基づいて、撮像された画像に写っている表示対象のうち、ディスプレイ１０の背面に対向する位置にある表示対象を特定する。そして、システム制御部３１は、特定した表示対象の種類及び位置を取得する。
【００７７】
表示装置Ｓは、撮像範囲が互いに異なる複数のカメラを備えてもよい。例えば、図８に示すように、ディスプレイ１０の背面にカメラ１２ａ及び１２ｂが備えられてもよい。カメラ１２ａ及び１２ｂは、例えばＣＣＤ（Charge Coupled Device）イメージセンサ等により構成されている。カメラ１２ａ及び１２ｂは、ディスプレイ１０の背面の中心の左右にそれぞれ配置されている。ディスプレイ１０の背面は縦の長さよりも横の長さの方が長いため、横の長さに応じて、カメラ１２ａ及び１２ｂが左右に配置される。これにより、全体として撮像範囲が横に広がる。また、ディスプレイ１０の背面の中心にはアーム２１が固定されている。１つのカメラではアーム２１によって撮像範囲に死角が生じるが、複数のカメラでこのような死角をカバーすることができる。
【００７８】
以上説明したように、本変形例によれば、ディスプレイ１０の背面に対向する範囲を撮像するカメラにより撮像された画像に基づいて、ディスプレイ１０の背面に対向する位置にある表示対象の情報を取得するので、車両の種類や年式等によって、車両に備えられ又は表示される表示対象が変わったり、車両における表示対象の位置が変わったりしても、ディスプイレイ１０の背面に対向する位置にある表示対象を適切に特定することができる。
【００７９】
また、撮像範囲が互いに異なる複数のカメラを備えた場合、ディスプレイ１０の大きさ又は表示装置Ｓの構造が、１つのカメラではディスプレイ１０の背面に対向する範囲を十分に撮像することができないような大きさ又は構造であっても、ディスプレイ１０の背面に対向する範囲を撮像することができる。
【００８０】
［他の変形例］
移動体に備えられる操作部、及び移動体に表示される情報のうち何れか一方のみに対応する画像がディスプレイ１０に表示されてもよい。
【００８１】
また、対応する画像がディスプレイ１０に表示される操作部の種類又は情報の種類が、予め定められていてもよい。
【００８２】
また、ディスプレイ１０の移動及び回転のうち何れか１つのみが可能であるように表示装置Ｓが構成されてもよい。
【符号の説明】
【００８３】
１  表示制御装置
１ａ  取得部
１ｂ  制御部
２  表示部
１０  ディスプレイ
１１  タッチパネル
３１  システム制御部
Ｓ  表示装置
【図１】
2018084880.tif 000003
【図２】
2018084880.tif 000004
【図３】
2018084880.tif 000005
【図４】
2018084880.tif 000006
【図５】
2018084880.tif 000007
【図６】
2018084880.tif 000008
【図７】
2018084880.tif 000009
【図８】
2018084880.tif 000010
【図９】
2018084880.tif 000011